(57)【要約】薄い材料（例えば、紙またはダンボール）の第１の折り畳まれていない平面（２；２５）および第２の折り畳まれていない平面（３）から作製される花瓶（１）は、上部開口（１８）および下部開口（１９）を有する。花瓶（１）の足は、折り畳み線に沿って折り畳むことにより、第１の折り畳まれていない平面（２；２５）により形成される足部分（２４ａ、２４ｂ、２４ｃ）を有する。花瓶の壁（３）は、側面パネル（１１ａ、１１ｂ、１１ｃ、１１ｄ、１１ｅ、１１ｆ）の間の第３の折り畳み線（１２ａ、１２ｂ、１２ｃ、１２ｄ、１２ｅ、１２ｆ）に沿って第２の折り畳まれていない平面（３）を折り畳むことにより形成される。
2005532857.tif 000002
【特許請求の範囲】
【請求項１】
薄い材料、例えば、紙またはダンボールから作製される種類の花瓶であって、そして壁（３）および上部−例えば、テーブル上の花瓶（１）としての使用の位置に見られる−の開口（１８）および下部の底（１９）を有し、そしてここで該花瓶（１）が、折り畳み線に沿って折り畳むことにより、第１の折り畳まれていない平面（２；２５）により形成される足を備え、第１の折り畳まれていない平面（２；２５）が以下：
花瓶の底（１９）と少なくとも同じ形態を有し、そして折りたたみ線の第１のセット（７ａ、７ｂ、７ｃ）により規定される、中央パネル（４）、
折り畳み線の第２のセット（８ａ’、８ａ’’、８ｂ’、８ｂ’’、８ｃ’、８ｃ’’）により規定され、そして該第１の折り畳み線（７ａ、７ｂ、７ｃ）から外側に延びる多数の放射状パネル（５ａ、５ｂ、５ｃ）、および
該第２の折り畳み線（８ａ’、８ａ’’、８ｂ’、８ｂ’’、８ｃ’、８ｃ’’）から出る多数のエッジパネル（６ａ’、６ａ’’、６ｂ’、６ｂ’’、６ｃ’、６ｃ’’）
を備えて設計されることで特徴付けられる、花瓶。
【請求項２】
請求項１に記載の花瓶であって、前記第１の折り畳まれていない平面（２；２５）の前記中央パネル（４）が、前記花瓶の前記底（１９）と該底の側面に沿う前記第１の折り畳み線（７ａ，７ｂ，７ｃ）で連結され、そして放射状平面（５ａ、５ｂ、５ｃ）が、通常は、例えばテーブル上での花瓶としての使用において、該第１の折り畳み線（７ａ、７ｂ、７ｃ）の周りおよび花瓶（１）の周りでエッジパネル（６ａ’、６ａ’’、６ｂ’、６ｂ’’、６ｃ’、６ｃ’’）で折り畳まれ、そして、該中央パネル（４）と共に平面上にあって折り畳まれず、その一方該エッジパネル（６ａ’、６ａ’’、６ｂ’、６ｂ’’、６ｃ’、６ｃ’’）は、前記第２の折り畳み線（８ａ’、８ａ’’、８ｂ’、８ｂ’’、８ｃ’、８ｃ’’）の周りで折り畳まれている、花瓶。
【請求項３】
請求項１または２のいずれか１項に記載の花瓶（１）であって、花瓶（１）が、以下：
折り畳み線の第３のセット（１２ａ、１２ｂ、１２ｃ、１２ｄ、１２ｅ、１２ｆ）により規定される多数の側面パネル（１１ａ、１１ｂ、１１ｃ、１１ｄ、１１ｅ、１１ｆ）、
折り畳み線の第４のセット（１５ａ、１５ｂ、１５ｃ、１５ｄ、１５ｅ、１５ｆ）により側面パネル（１１ａ、１１ｂ、１１ｃ、１１ｄ、１１ｅ、１１ｆ）から分離される多数の底パネル（１４ａ、１４ｂ、１４ｃ、１４ｄ、１４ｅ、１４ｆ）、および
折り畳み線の第５のセット（１７ａ、１７ｂ、１７ｃ、１７ｄ、１７ｅ、１７ｆ）により側面パネル（１１ａ、１１ｂ、１１ｃ、１１ｄ、１１ｅ、１１ｆ）から分離される多数の上部パネル（１６ａ、１６ｂ、１６ｃ、１６ｄ、１６ｅ、１６ｆ）、および
折り畳み線の第３のセット（１２ａ、１２ｂ、１２ｃ、１２ｄ、１２ｅ、１２ｆ）において最も外側の折り畳み線（１１ｆ）の１つに沿って延びるフラップ（１３）
を備えて設計される、第２の平面により形成されることで特徴付けられる、花瓶。
【請求項４】
請求項１、２または３に記載の花瓶（１）であって、前記第１の折り畳まれていない平面（２；２５）が、前記エッジパネル（６ａ’、６ａ’’、６ｂ’、６ｂ’’、６ｃ’、６ｃ’’）のエッジ（９ａ’、９ａ’’、９ｂ’、９ｂ’’、９ｃ’、９ｃ’’）が、前期第１の折り畳み線から発し、足の使用の位置において該花瓶の隣接する側面パネルと接していることで特徴付けられる、花瓶。
【請求項５】
請求項３または４に記載の花瓶（１）であって、前記側面パネル（１１ａ、１１ｂ、１１ｃ、１１ｄ、１１ｅ、１１ｆ）の各々が、前記第４のセットにおける折り畳み線（１５ａ、１５ｂ、１５ｃ、１５ｄ、１５ｅ、１５ｆ）に沿う最も小さな側面と、台形を形成する、花瓶。
【請求項６】
請求項４、５または６に記載の花瓶（１）であって、前記第１の折り畳まれていない平面（２；２５）が、３つの放射状パネル（５ａ、５ｂ、５ｃ）を備えて設計され、そして前記第２の折り畳まれていない平面（３）が、６つの側面パネル（１１ａ、１１ｂ、１１ｃ、１１ｄ、１１ｅ、１１ｆ）を有することで特徴付けられる、花瓶。
【請求項７】
請求項３〜６のいずれか１項に記載の花瓶であって、前記放射状平面（５ａ、５ｂ、５ｃ）が、第１の折り畳み線（７ａ、７ｂ、７ｃ）の周りで折り畳まれ、そして前記エッジパネルが、前記花瓶の壁（３）の周りで折り畳まれる場合、前記第１の折り畳まれていない平面（２；２５）のエッジパネル（６ａ’、６ａ’’、６ｂ’、６ｂ’’、６ｃ’、６ｃ’’）が、前記第３の折り畳み線（１２ａ、１２ｂ、１２ｃ、１２ｄ、１２ｅ、１２ｆ）の各々に沿って延びる、折り畳み線のそれぞれ第６のセット（２１）および第７のセット（２２）を備えて設計されることで特徴付けられる、花瓶。
【請求項８】
請求項６または７に記載の花瓶であって、前記エッジパネル（６ａ’’、６ｂ’’、６ｃ’’）が、１２０°の角距離にあり、前記放射状パネル（５ａ、５ｂ、５ｃ）が前記第１の折り畳み線（７ａ、７ｂ、７ｃ）の周りで折り畳まれ、そして前記側面パネル（１１ａ、１１ｂ、１１ｃ、１１ｄ、１１ｅ、１１ｆ）が、該花瓶の壁（３）の周りに折り畳まれる場合、第１のスリット（２６ａ、２６ｂ、２６ｃ）が、第２のエッジパネル（６ａ’’、６ｂ’’、６ｃ’’）の点（２７ａ、２７ｂ、２７ｃ）を各々受けるために作製される、花瓶。
【請求項９】
請求項１〜８のいずれか１項に記載の花瓶（１）であって、該花瓶が、放射状パネル（５ａ、５ｂ、５ｃ）と結合される２つのエッジパネル（６ａ’、６ａ’’、６ｂ’、６ｂ’’、６ｃ’、６ｃ’’）を連結かつ固定するための手段をさらに備えて設計され、該手段が、以下：
ステープル、
クリップ、または
プルオフフィルム（１０ａ’、１０ｂ’、１０ｃ’）により必要に応じて保護され、そして該放射状パネル（５ａ、５ｂ、５ｃ）と結合される該２つのエッジパネル（６ａ’、６ａ’’、６ｂ’、６ｂ’’、６ｃ’、６ｃ’’）の少なくとも１つの頂部表面の少なくとも１領域に塗布されることを特徴とする接着剤（１０ａ、１０ｂ、１０ｃ）
を含む手段の群から選択される、花瓶。
【請求項１０】
請求項１〜８のいずれか１項に記載の花瓶（１）であって、前記第１の折り畳まれない平面（２；２５）上の放射状パネル（５ａ、５ｂ、５ｃ）に結合される前記２つのエッジパネル（６ａ’’、６ｂ’’、６ｃ’’）の１つが、第２のスリット（２８ａ、２８ｂ、２８ｃ）を備えて設計され、そして該エッジパネル（６ａ’、６ａ’’、６ｂ’、６ｂ’’、６ｃ’、６ｃ’’）が、前記第２の折り畳み線（８ａ’、８ａ’’、８ｂ’、８ｂ’’、８ｃ’、８ｃ’’）の周りに折り畳まれる場合、該第２のエッジパネル（６ａ’、６ｂ’、６ｃ’）が、スリット（２８ａ、２８ｂ、２８ｃ）中の挿入のための部分的なカットアウトフラップ（２９ａ、２９ｂ、２９ｃ）を備えて設計されることで特徴付けられる、花瓶。
【発明の詳細な説明】
【技術分野】
【０００１】
本発明は、薄い材料、例えば、紙またはダンボールから作製され、そして壁および上部の開口および下部の底を有する−例えば、テーブル上の、花瓶としての使用の位置に見られる−種類の花瓶に関する。
【背景技術】
【０００２】
花束が贈り物として与えられるとき、花瓶を迅速に得ることが常に可能であるとは限らない。従って、花は、すぐに水に置かれることができず、そして多くは、高価な花束の持続性は低減される。この状況は、例えば、病院における病気の見舞から知られ、そこでは、しばしば花瓶が不足している。または、例えば、花束の数が非常に大きくあり得るレセプションでは、これらの花を水に置く可能性はなくなっている。
【発明の開示】
【発明が解決しようとする課題】
【０００３】
米国特許第４,９１０,９１３号から、三角形の底および真直ぐに上方に延びる側面をもつ折り畳み式のダンボールの花瓶が知られる。
【０００４】
この公知の花瓶は、花を保持するために折り畳まれるとき、保持することが困難なように設計されている。組み立てられていない花瓶は、使用の場所でのみ組み立てられるように配列されており、そしてそれ故、花束は、別個に輸送されなければならない。このような様式で配列されている花瓶は、それは水が漏らないことが困難であるように組み立てられるのみであり得る。これは、接続部を、直ちにシールすることができないという事実に起因している。従って、花の水がこれら接続部を通って漏れることを防ぐためにプラスチックバッグで花瓶を裏打ちすることが必要である。
【０００５】
これもまた、使用の場所でのみ組み立てられるように配列される同様の花瓶が、欧州特許出願ＥＰ  ０  ３９４  ５９５  Ａ１から公知である。この公知の花瓶は、剛直性の材料から作製され、そして防水ライニングで内側が裏打ちされている。この花瓶は、ピラミッド型の取り付け形態の緩い足を有し、花瓶の本体の下部分を取り囲む貫通開口を備える。上記の欠点の他に、この公知の花瓶はまた、上記の足が、花瓶を持ち上げるとき容易にスラドして離れ得るという欠点をもっている。この花瓶は、さらに、足の高さと、ピラミッドの上部の開口の直径との間の関係が、対応する花瓶の高さと直径とに正確に釣り合うこと（これは、花瓶が使用の場所で折り畳まれるとき困難であり得る）がないと、土台上で不安定に立つ。開口が大き過ぎると、花瓶は足の中で傾いて立つ。開口が小さ過ぎると、花瓶がひっくり返るリスクがある。
【課題を解決するための手段】
【０００６】
本発明の第１の局面は、製造することが容易かつ安価である、開始の段落で述べた種類の花瓶を提供することである。
【０００７】
本発明の第２の局面は、環境を損なわない紙またはダンボールから作製される環境に健全な花瓶を提供することである。
【０００８】
本発明の第３の局面は、本発明の花瓶が使用の後平坦にすることができ、そしてそれ故、ごみ廃棄でほとんどスペースをとらないことである。
【０００９】
本発明の第４の局面は、本発明の花瓶が小さな底および大きな開口を持つ代表的な花瓶として作製され得ることである。
【００１０】
本発明の第５の局面は、例えば、テーブル上で、安全かつ安定に立つ、開始の段落に記載の種類の花瓶を提供することである。
【００１１】
本発明の第６の局面は、本発明の花瓶が花束のための包装として用いられ得ることである。
【００１２】
本発明の第７の局面は、本発明の花瓶が容易かつ安価に装飾され得ることである。
【００１３】
本発明による新規かつ特有の特徴は、それによって達成されるのは、この花瓶が、折り畳み線に沿って折り畳まれることにより、第１の折り畳まれていない平面により形成される足が提供されるという事実である。
【００１４】
これによって、安価な花瓶が単純な様式で製造することができ、この花瓶は、小さな底および大きな開口を有し、そしてなお、例えば、テーブル上で、安全かつ安定に立つことができる。
【００１５】
好適な実施形態では、第１の折り畳まれていない平面は、中央パネル、多数の放射状パネルおよび多数のエッジパネルを持って設計され得る。この中央パネルは、有利には、花瓶の底と同じ形態で設計することができ、そして第１のセットの折り畳み線によって規定される。底および花瓶は、従って、底の側面にある第１の折り畳み線で、例えば、水に不溶性の接着剤によって特に容易にシールされる接続で連結され得る。放射状パネルは、有利には、第２のセットの折り畳み線によって規定することができ、そして第１の折り畳み線から外方に延び得、その一方、エッジパネルは、有利には、第２の折り畳み線から出され得る。
【００１６】
例えば、テーブル上の、花瓶としての使用において、このように設計される放射状パネルは、中央パネルとのレベルに位置決めされ得、その一方、エッジパネルは、第２の折り畳み線の周りで容易に折り畳まれ得る。このようにして、放射状パネルは、容易に、放射状パネルが、使用の位置にある花瓶から放射状に延びるとき、足部分のためのベースとして供するように作製され得、その一方、折り畳みを解かれたエッジパネルは、花瓶に対して足部分をさらに強化するためのフラップを形成する。これによって、本発明の花瓶は、簡単な様式で、例えば、１片で鋳造される金属花瓶、ガラス花瓶またはセラミック花瓶（すべては、例えば、テーブル上で安定かつ安全に立つ）に対応する寸法安定性を持つ花瓶の形態をとるように作製され得る。
【００１７】
本発明の花瓶が花束の輸送の間の包装として用いられる場合、折り畳みを解かれた第１の平面の放射状パネルおよびエッジパネルは、第１の折り畳み線にて、有利には、少なくとも、花瓶の底から出る花瓶の壁の領域の一部分の周りで折り畳まれ得る。この簡単な様式で、足を持つ花瓶は、扱い易い円錐体の形状が与えられ、そして非常に多くの花瓶が、不必要なスペースを占領することなく、容易に積み上げられ、かつ貯蔵され得る。
【００１８】
足が花瓶の周りで折り畳まれる場合、この足は、さらに、内容物である花束を持つ花瓶の輸送の間の妨害ではない。
【００１９】
花瓶の壁は、有利には、第３のセットの折り畳み線によって規定される多くの側面パネル、第４のセットの折り畳み線によって規定される側面パネルから分離される多くの底パネル、第５のセットの折り畳み線によって側面パネルから分離される多くの上部パネル、および上記第３のセット中の最も外側の折り畳み線の少なくとも１つに沿って延びるフラップを備えて設計される第２の折り畳まれていない平面によって形成され得る。
【００２０】
この、例えば、本発明の花瓶の円錐壁は、便法として、２つの最も外側の側面パネルが出会うまで、第３のセットの折り畳み線に沿って第２の折り畳まれていない平面を折り畳むことにより形成され得る。最後に、この花瓶は、フラップを側面パネルに重ねること、そして次に、このフラップを、この側面パネルに沿って接着することにより防水様式で固定することにより組み立てられる。
【００２１】
底パネルは、第４のセットの折り畳み線に沿って容易に折り畳むことができ、花瓶の底を形成し、その一方、上部パネルは、第５のセットの折り畳み線に沿って所望の範囲まで折り畳むことができ、花瓶の装飾的上端部を形成する。
【００２２】
上部パネルを、例えば、花瓶の長軸方向中心軸に向かって曲げることにより、これら上部パネルは、輸送の間に花瓶中の花を保持することに寄与し得、そして内容物の水が花瓶から跳ねることを防ぐ。花瓶が、例えば、テーブル上の、花の装飾とともに配置される場合、この上部パネルは、それに代わって、ほんのわずか外方に曲げることができ、それによって、花束を支持し、そしてその形状に装飾的に従う。
【００２３】
花瓶の多角形形状−断面で観察される−は、断面方向に圧縮されることに抵抗性である花瓶の効果を有する。
【００２４】
さらに、この花瓶は、所望のモチーフで容易に装飾され得る。なぜなら、装飾は、第２の折り畳まれていない平面に容易に付与され得るからである。
【００２５】
第１の折り畳まれていない平面は、さらに、第１の折り畳み線から出るエッジパネルのエッジが、足および花瓶の使用の位置にある花瓶の隣接する側面パネルに対して接し、かつ支持しているように設計され得る。これによって、花瓶の、有利な、安定な構成および支持が、この花瓶が花および水で満たされるときに得られる。
【００２６】
各側面パネルが、第４のセットの折り畳み線に沿って最小側面を持つ台形として設計される場合、有利なことに、小さな底および大きな開口を有する花瓶が形成され得る。異なる寸法を有する花瓶は、この台形の側面長さを変更することにより得られ得る。
【００２７】
本発明による花瓶の好適な特に安定な実施形態では、第１の折り畳まれていない平面は、合計３つの放射状パネルで設計され得、そして第２の折り畳まれていない平面は、合計６つの側面パネルを持つ。両方の折り畳まれていないものは、所望の材料のシートまたはウェブから容易にスタンプされ得る。同時に、または逐次的プロセスにより、この折り畳まれていないものは、当該分野で公知の技法により所望の折り畳み線が与えられ得る。
【００２８】
放射状パネルが、第１の折り畳み線の周りで、そしてエッジパネルが花瓶の周りで、それぞれ折り畳まれる場合、関連するエッジパネルは、さらに、第２の折り畳まれていない平面の各々のそれらの第３の折り畳み線に沿って延びる、第６および第７のセットの折り畳み線と共に設計され得る。
【００２９】
あるいは、これらの最後に述べた第６および第７の折り畳み線は、放射状パネルおよびエッジパネルが、花瓶の下部領域の周りでその底に、それらの支えられた固定位置に押されるとき、それ自身で生じる。
【００３０】
花瓶として配列される使用の前に、足の放射状パネルおよびエッジパネルは、従って、通常、花瓶の周りで折り畳まれ、そこで、それらは、例えば、ゴムバンドにより便利に固定されて維持され得る。
【００３１】
この状態では、小さな底および大きな開口を持つ花瓶は、輸送および貯蔵の間にほとんどスペースをとらず、これら花瓶は、上記のように、互いの中に挿入され得る。
【００３２】
ゴムバンドの代わりに、上記の足は、１２０゜の角距離でエッジパネル中に作製される第１のスリットによってこの状態に固定されることができ、各スリットは、エッジパネルを含む放射状パネルが、花瓶の側面パネルを取り囲むように第１の折り畳み線で折り畳まれるとき、第２のエッジパネルの点を受け入れる。この解決法は特に有利である。なぜなら、花瓶の周りにはめ込まれない足を固定するためにさらなる手段が必要でないからである。
【００３３】
使用の位置において、足が折り畳まれて土台上に立ち得るとき、各足部分上のエッジパネルは、少なくとも部分的に接続されなければならない。
【００３４】
例示により、この足は、放射状パネルと会合し、そして第１の折り畳まれていない平面上に位置決めされる２つのエッジパネルによって花瓶の側壁を支持し、かつ接して組立てを維持されることができ、放射状パネルが折り畳みを解かれた状態、およびエッジパネルの折り畳みを解かれた状態でステープルまたはクリップによって連結される。
【００３５】
所望の形態に組立てられた足を維持する代替の方法は、放射状パネルに会合し、そして第１の折り畳まれていない平面上に位置決めされる２つのエッジパネルの少なくとも１つの上面の少なくとも領域上に接着剤を付与することである。この接着剤は、例えば、足が、花瓶に対する支持としての使用のために取り付けられるべきであるとき、容易に引き剥がされる剥離フィルムによって保護される種類であり得る。
【００３６】
２つの対向するエッジパネルのエッジフラップを迅速かつ容易に接続するための有利な実施形態では、放射状パネルに会合し、そして第１の折り畳まれていない平面上に位置決めされる２つのエッジパネルの１つは、第２のスリットを持って設計され、そして第２のエッジパネルは、エッジパネルが第２の折り畳み線の周りで折り畳まれるとき、この第２のスリット中への挿入のための部分的にくり抜かれたフラップを持って設計される。
【００３７】
この実施形態は、花瓶が使用のために組立てられるべきとき、組立てることが特に容易であり、そしてそれに対応して、花瓶が廃棄されるべきとき、分解することが容易である。
【００３８】
上記に記載の好適な実施形態は、美的に美しい六角形の花瓶として出現し、花瓶が水および花で充填されるとき、花瓶のための安定な支持を形成する３つの足部分を持つ。
【００３９】
本発明による花瓶を、以下により詳細に説明し、例示により、この花瓶は、紙から作製される廃棄可能な花瓶であり、側面上にワックス層を持ち、これは、花瓶がたとえこれが紙から作製されるとしても防水を維持するように花瓶の内側を形成する。
【００４０】
以下に、この花瓶の例示に過ぎない実施形態を、図面を参照して説明する。
【発明を実施するための最良の形態】
【００４１】
図１および２は、第１の折り畳まれていない平面２、および第２の折り畳まれていない平面３をそれぞれ示し、本発明による廃棄可能な花瓶１に折り畳むことができ、かつ組立てられ得る、足および壁をそれぞれ形成するためのブランクとして供する。
【００４２】
この第１の折り畳まれていない平面２は、円形の中央パネル４、３つの三角形の放射状パネル５ａ、５ｂ、５ｃ、および６つのエッジパネル６ａ’、６ａ’’、６ｂ’、６ｂ’’、６ｃ’、６ｃ’’を有する。この放射状パネル５ａ、５ｂ、５ｃは、それぞれ、第１のセットの折り畳み線７ａ、７ｂ、７ｃを経由して中央パネル４に、そして第２のセットの折り畳み線８ａ’、８ａ’’、８ｂ’、８ｂ’’、８ｃ’、８ｃ’’を経由してエッジパネル６ａ’、６ａ’’、６ｂ’、６ｂ’’、６ｃ’、６ｃ’’に接続されている。
【００４３】
従って、エッジパネル６ａ’は、放射状パネル５ａから、第２の折り畳み線８ａ’を経由して、フリーエッジ９ａ’に向かって延び、エッジパネル６ａ’’は、放射状パネル５ａから、第２の折り畳み線８ａ’’を経由して、フリーエッジ９ａ’’に向かって延び、エッジパネル６ｂ’は、放射状パネル５ｂから、第２の折り畳み線８ｂ’を経由して、フリーエッジ９ｂ’に向かって延び、エッジパネル６ｂ’’は、放射状パネル５ｂから、第２の折り畳み線８ｂ’’を経由して、フリーエッジ９ｂ’’に向かって延び、エッジパネル６ｃ’は、放射状パネル５ｃから、第２の折り畳み線８ｃ’を経由して、フリーエッジ９ｃ’に向かって延び、そしてエッジパネル６ｃ’’は、放射状パネル５ｃから、第２の折り畳み線８ｃ’’を経由して、フリーエッジ９ｃ’’に向かって延びている。
【００４４】
各々のエッジパネル６ａ’’、６ｂ’’、６ｃ’’において、粘着剤１０ａ、１０ｂ、１０ｃが、例えば、エッジパネルの意図されない固定を防ぐために重なるプルオフフィルム１０ａ’、１０ｂ’、１０ｃ’の片により保護されるように塗布される。
【００４５】
第１の折り畳まれていない平面２は、代表的に、円形のブランクで示され、折り畳み線は、ブランク上で同時に示され、または浮出されている。
【００４６】
図２は、示されている場合において、６つの台形の側面パネルを有する第２の折り畳まれていない平面３を示し、第１の側面パネル１１ａが、第１の第３の折り畳み線１２ａを介して、第２の側面パネル１１ｂに接続されており、第２の側面パネル１１ｂが今度は、第２の第３の折り畳み線１２ｂを介して、第３の側面パネル１１ｃに接続されており、第３の側面パネル１１ｃが今度は、第３の第３の折り畳み線１２ｃを介して、第４の側面パネル１１ｄに接続されており、第４の側面パネル１１ｄが今度は、第４の第３の折り畳み線１２ｄを介して、第５の側面パネル１１ｅに接続されており、第５の側面パネル１１ｅが今度は、第５の第３の折り畳み線１２ｅを介して、第６の側面パネル１１ｆに接続されており、第６の側面パネル１１ｆが今度は、第６の第３の折り畳み線１２ｆを介して、フラップ１３に接続されている。第３の折り畳み線のセット１２ａ、１２ｂ、１２ｃ、１２ｄ、１２ｅ、１２ｆに沿って折り畳んだ後、フラップ１３に、第１の側面パネル１１ａを重ね合わせ、そして防水方法において連結されて、花瓶の壁３を形成する。この連結は、当業者に公知の粘着剤により、便宜上行われ得る。
【００４７】
第２の折り畳まれていない平面３は、さらに、示される場合において、主に三角形である、合計６つの底パネル１４ａ、１４ｂ、１４ｃ、１４ｄ、１４ｅ、１４ｆを有する。底パネル１４ａ、１４ｂ、１４ｃ、１４ｄ、１４ｅ、１４ｆは、各々第４の折り畳み線１５ａ、１５ｂ、１５ｃ、１５ｄ、１５ｅ、１５ｆを介して、各々側面パネル１１ａ、１１ｂ、１１ｃ、１１ｄ、１１ｅ、１１ｆに接続される。さらに、第２の折り畳まれていない平面３は、各々第５の折り畳み線のセット１７ａ、１７ｂ、１７ｃ、１７ｄ、１７ｅ、１７ｆを介して、各々の側面パネル１１ａ、１１ｂ、１１ｃ、１１ｄ、１１ｅ、１１ｆに接続される合計６つの上部パネル１６ａ、１６ｂ、１６ｃ、１６ｄ、１６ｅ、１６ｆを有する。
【００４８】
図３は、本発明に従う、使い捨て可能な花瓶１のために第２の折り畳まれていない平面３により形成される円錐形の壁３を示し、ここで第２の折り畳まれていない平面３の第６の側面パネル１１ｆは、図２を参照して記載されるように、フラップ１３に連結され、上部開口１８および下部底１９を有する花瓶を形成する。
【００４９】
図４は、図３の線ＩＶ−ＩＶに沿う断面図である。底パネル１４ａ、１４ｂ、１４ｃ、１４ｄ、１４ｅ、１４ｆは、第４の折り畳み線１５ａ、１５ｂ、１５ｃ、１５ｄ、１５ｅ、１５ｆにて花瓶の中央軸２０に向かって内部に垂直に折り畳まれ、花瓶の底１９を少なくとも部分的に閉鎖する。
【００５０】
図５および図６は、折り畳まれて花瓶の壁３および中空体を形成する、図３および図４の第２の折り畳まれていない平面３を示し、この底１９は、図１の第１の折り畳まれていない平面２の中央パネル４に対して垂直に位置し、そして連結される。２つの折り畳まれていない２および３は、例えば、防水接着剤により、容易にかつ永続的に連結される。
【００５１】
図７、８および９に最も良く見られるように、花瓶が、例えば、花束の輸送の間に、包装として働く場合、放射状パネル５ａ、５ｂ、５ｃは、花瓶の壁３の周りに折り畳み線７ａ、７ｂ、７ｃを介して折り畳まれ得る。放射状パネル５ａ、５ｂ、５ｃは、各々のエッジパネル６ａ’、６ａ’’、６ｂ’、６ｂ’’、６ｃ’、６ｃ’’をもたらし、放射状パネルおよびエッジパネルの両方は、お互い重なることにより、円錐形の花瓶を比較的密接して取り囲む。これにより、折り畳み線の第６のセット２１ａ’、２１ａ’’、２１ｂ’、２１ｂ’’、２１ｃ’、２１ｃ’’および折り畳み線の第７のセット２２ａ’、２２ａ’’、２２ｂ’、２２ｂ’’、２２ｃ’、２２ｃ’’の各々は、エッジパネル６ａ’、６ａ’’、６ｂ’、６ｂ’’、６ｃ’、６ｃ’’上で作製される。この状態において、花瓶は、片手で容易かつ優美に持ち得、例えば花束を輸送し得る（示さず）。あるいは、第６の折り畳み線および第７の折り畳み線は、エッジパネルにおいて予め浮き出され得、その結果、これらのパネルは、特に容易に花瓶の形状になる。
【００５２】
輸送および／または保存の状況において、放射状パネルおよびエッジパネルは、例えば、（示していない）ゴムバンドにより花瓶の側面パネルに対して有利に固定され得る。
【００５３】
図１０および図１１は、第１の折り畳まれていない平面２が、示される場合において、その足部分２４ａおよび２４ｃのみが図１０において見られる、合計３つの足部分２４ａ、２４ｂ、２４ｃを有する、足２３に折り畳まれて、はめ込まれた状態における花瓶１を示す。
【００５４】
ここで、第１の折り畳まれていない平面２が、放射状パネル５ａ、５ｂ、５ｃが折り畳み線１１ｂ、１１ｄ、１１ｆの反対側に位置されて、第２の折り畳まれていない平面３上に接着してはめ込まれて示される。放射状パネル５ａ、５ｂ、５ｃはさらに、中央パネル４と同じ平面上に位置され、そして粘着剤は、少なくとも３つのエッジパネル上で用意される可能性がある。
【００５５】
同じ放射状パネルから発する２つのエッジパネルは、これらの第２の折り畳み線に沿って折り畳まれ、足部分を形成する。第１の足部分は、例えば、互いに向かって折り畳み線８ａ’に沿ってエッジパネル６ａ’を折り畳むことにより、そして折り畳み線８ａ’’に沿ってエッジパネル６ａ’’を折り畳み、次いで、２つのエッジパネル６ａ’および６ａ’’を、例えばフリーエッジ９ａ’および９ａ’’に沿う領域で、強固に一緒に接着する、または別の方法で（例えばステープルにより）固定する。２つの他の足部分が、同様な様式で形成される。
【００５６】
放射状パネルおよびエッジパネルが、足部分へと折り畳まれる場合、その足は、すぐに組み立てられ、そして花束と共に使用するために準備が出来ている。
【００５７】
この花瓶は、特に有利に設計され得、その結果、本体の中央軸２０と側面パネル１１ａ、１１ｂ、１１ｃ、１１ｄ、１１ｅ、１１ｆまたは第３の折り畳み線１２ａ、１２ｂ、１２ｃ、１２ｄ、１２ｅ、１２ｆのいずれかとの間の角度αおよび各々の第２の折り畳み線８ａ’、８ａ’’、８ｂ’、８ｂ’’、８ｃ’、８ｃ’’とエッジパネルのフリーエッジ９ａ’、９ａ’’、９ｂ’、９ｂ’’、９ｃ’、９ｃ’’との間の角度βの合計は、９０°と等しいか、またはそれよりわずかに大きい。この花瓶において形成され、そしてはめ込まれる花瓶の足部分は、花瓶の側面に対して接し、花瓶の中空体および足部分２４ａ、２４ｂ、２４ｃは、使用の位置において互いに対して押され、これにより花瓶の安定性を増大し、その形状の保持に帰する。
【００５８】
図１２は、折り畳まれない第１の平面の代替的な実施形態２５を示す。この実施形態は、本発明に従う第１の折り畳まれない平面２の改変であり、同様な部分が、同様に参照される。
【００５９】
各々のエッジパネル６ａ’’、６ｂ’’、６ｃ’’において、エッジパネルのフリー点２７ａ、２７ｂ、２７ｃを受けるための第１のスリット２６ａ、２６ｂ、２６ｃが、１２０°の相互の角距離にて、そして各々のエッジパネルのフリーエッジ９ａ’’、９ｂ’’、９ｃ’’に沿って、提供される。花瓶が、輸送または包装のために折り畳まれる場合、エッジパネル６ａ’’のフリーコーナー２７ａは、エッジパネル６ｂ’’上のスリット２６ｂと係合し、このフリーコーナーは、エッジパネル６ｃ’’上のスリット２６ｃと係合し、このフリーコーナーは、エッジパネル６ａ’’上のスリット２６ａと係合し、そしてこのエッジパネルは、この単純な方法において、例えば、ゴムバンドを使用することなく花瓶の周りに容易に保持され得る。
【００６０】
各々のエッジパネル６ａ’’、６ｂ’’、６ｃ’’において、エッジパネル６ａ’、６ｂ’、６ｃ’上で部分的にカットアウトフラップ２９ａ、２９ｂ、２９ｃを係合するために、第２のスリット２８ａ、２８ｂ、２８ｃがさらに、１２０°の相互の角距離にて、第１の折り畳まれていない平面２５の周辺に沿って、提供される。花瓶に向かう方向で、隣接する放射状パネルの周りに折り畳まれた２つの反対のエッジパネルが、この単純な方法において、ちょうど足部分２４ａ、２４ｂ、２４ｃのように固定され得、その結果粘着剤の使用が避けられる。
【００６１】
図１３および図１４は、本発明に従う使い捨て可能な花瓶の以前の図面における実施形態の改変を示し、同様な部分が、同様に参照される。
【００６２】
この改変された実施形態において、放射状パネル５ａ、５ｂ、５ｃは、図１０において第１の実施形態の例として示されるような、折り畳み線１２ｅ、１２ｃ、１２ａの代わりに各々側面パネル１１ａ、１１ｂ、１１ｃに対向して配置される。
【００６３】
この実施形態はさらに、第１の実施形態において記載される方法のいずれかにおいて、折り畳まれ得、組み立てられ得、輸送され得、そして改変され得る。
【００６４】
本発明は、花瓶が六角形（ｈｅｘａｇｏｎａｌ）であり、そして足が３つの足部分を有するという仮定のもとに、上で記載され、そして図面で示される。しかし、本発明の範囲内で、花瓶は、任意の他の多角形（ｐｏｌｙｇｏｎａｌ）断面、円形断面または楕円形断面を有し得、そして足は、別の数の足部分を有し得る。
【００６５】
花瓶のエッジは、ちょうどエッジが花瓶の軸に垂直な平面である必要がなく、代わりに別の平面（例えば、軸と角度を形成する平面かつ／または平面形態を有しない平面）であり得るように、示される上部パネルと別の形態の上部パネルと共に設計され得るか、または上部パネルなしで、直立してあり得る。
【００６６】
使い捨て可能な花瓶は、水に耐え得る持続性の、可撓性の、折り畳み可能で使い捨て可能な材料から作製され、その結果、花瓶は、例えば水または湿気のあるＯａｓｉｓで充填される場合、漏れない。フラップ１３を側面パネル１１ａに、そして中央パネル４を底パネルにそれぞれ接着させるのに使用される類似の接着剤が、固定かつ防水方法で連結される足および壁を保ち得る。
【００６７】
花瓶は、所望される通りの装飾と共に作製され得る。例えば、子供向けのイラスト、祝辞、または広告が、花瓶上に印刷され得る。
【図面の簡単な説明】
【００６８】
【図１】図１は、本発明による、第１の実施形態の廃棄可能な花瓶のための足のための折り畳みを解かれた平面を示す。
【図２】図２は、本発明による廃棄可能な花瓶のための折り畳みを解かれた第２の平面を示す。
【図３】図３は、廃棄可能な花瓶の壁であって、図２の折り畳みを解かれた第２の平面によって形成される壁の側面図である。
【図４】図４は、図３の線ＩＶ−ＩＶに沿ってとられた断面図である。
【図５】図５は、底において、図１中の折り畳みを解かれた第１の平面に接続される廃棄可能な花瓶のための、図３中の壁の軸方向断面図である。
【図６】図６は、図５の線ＶＩ−ＶＩに沿ってとった断面図である。
【図７】図７は、花瓶の周りで折り畳まれた、第１の折り畳まれていない平面を持つ廃棄可能な花瓶の側面図である。
【図８】図８は、図７の線ＩＩＸ−ＩＩＸに沿ってとった断面図である。
【図９】図９は、図７の線ＩＸ−ＩＸに沿ってとった断面図である。
【図１０】図１０は、折り畳みを解かれ、取り付けられた足を持つ図９中の花瓶である。
【図１１】図１１は、図１０の線ＸＩ−ＸＩに沿ってとった断面図である。
【図１２】図１２は、図１中の第１の折り畳まれていない平面の第２の実施形態を示す。
【図１３】図１３は、本発明による花瓶の第２の実施形態を示す。
【図１４】図１４は、図１３の線ＸＩＶ−ＸＩＶに沿ってとった断面図である。
【図１】
2005532857.tif 000003
【図２】
2005532857.tif 000004
【図３】
2005532857.tif 000005
【図４】
2005532857.tif 000006
【図５】
2005532857.tif 000007
【図６】
2005532857.tif 000008
【図７】
2005532857.tif 000009
【図８】
2005532857.tif 000010
【図９】
2005532857.tif 000011
【図１０】
2005532857.tif 000012
【図１１】
2005532857.tif 000013
【図１２】
2005532857.tif 000014
【図１３】
2005532857.tif 000015
【図１４】
2005532857.tif 000016
【国際調査報告】
2005532857.tif 000017
2005532857.tif 000018